(57)【要約】  【課題】背景となるカーテンやパネル等を不要とした小型で、かつ、被写体を正確に抽出して任意の背景画像を合成することができる撮影方法および撮影装置を提供する。  【解決手段】被写体が存在しない状態で撮影した背景画像と、画像出力に対応する第１主画像と、第１主画像とは撮影条件が異なる第２主画像を撮影し、背景画像と第１主画像との差分、第１主画像と第２主画像との差分から被写体を抽出することにより、前記課題を解決する。【選択図】図４
2006121275.tif 000002
【特許請求の範囲】
【請求項１】
同じ撮影位置において、被写体の存在しない背景画像、出力に対応する第１主画像、および、前記第１主画像とは撮影条件が異なる第２主画像を撮影し、
前記背景画像と第１主画像との差分と、前記第１主画像と第２主画像との差分とから、前記被写体を抽出することを特徴とする撮影方法。
【請求項２】
前記抽出した被写体と、予め準備した合成用画像とを合成する請求項１に記載の撮影方法。
【請求項３】
前記背景画像と第１主画像との差分から第１被写体候補を抽出し、前記第１主画像と第２主画像との差分から第２被写体候補を抽出し、第１被写体候補と第２被写体候補とで共通する領域を被写体として抽出する請求項１または２に記載の撮影方法。
【請求項４】
前記第１主画像と第２主画像とで、撮影照明が異なる請求項１〜３のいずれかに記載の撮影方法。
【請求項５】
前記第１主画像と第２主画像とで、撮影時の絞りが異なる請求項１〜３のいずれかに記載の撮影方法。
【請求項６】
画像を光電的に撮影するカメラと、
撮影条件を変更する変更手段と、
被写体が存在しない背景画像の撮影、出力に対応する第１主画像の撮影、および、前記第１主画像とは撮影条件が異なる第２主画像の撮影を、前記カメラおよび変更手段に実施させる撮影制御手段と、
前記背景画像と第１主画像との差分、および、前記第１主画像と前記第２主画像との差分から、前記被写体を抽出する画像処理手段とを有することを特徴とする撮影装置。
【請求項７】
前記画像処理手段は、抽出した被写体に、予め準備した合成用画像を合成した画像を作成する請求項６に記載の撮影装置。
【請求項８】
被写体を照明する光源を有し、前記変更手段は、前記第１主画像の撮影と第２主画像の撮影とで光源による撮影照明を変更する請求項６または７に記載の撮影装置。
【請求項９】
前記光源がＬＥＤである請求項８に記載の撮影装置。
【請求項１０】
前記カメラが絞りを有し、前記変更手段は、前記第１主画像の撮影と第２主画像の撮影とでカメラの絞りを変更する請求項６または７に記載の撮影装置。
【請求項１１】
前記画像処理手段が合成した画像をプリントとして出力するプリンタ、および、前記画像処理手段が合成した画像を記憶媒体に記録する記録手段の少なくとも一方を有する請求項７〜１０のいずれかに記載の撮影装置。
【発明の詳細な説明】
【技術分野】
【０００１】
本発明は、店頭や観光地等に設置され、証明写真や記念写真を撮影する撮影装置に関し、詳しくは、背景用のカーテンやパネル等が不要で、かつ、適正な背景の証明写真や記念写真を撮影できる撮影方法、および、撮影方法を実施する撮影装置に関する。
【背景技術】
【０００２】
写真店の店頭や街角等に設置される証明写真の撮影装置は、所定の背景で撮影し、かつ撮影条件を適正にするために、通常、被写体となる人物（被撮影者）が箱内に入って撮影を行う、ボックス型（ブース型）の形状を有している。
また、観光地や遊園地等に設置される記念写真の撮影装置も、通常、背景を一定にするために、被撮影者の背後にカーテンやパネル等が設置されるのが通常である。
【０００３】
通常、このような記念写真や証明写真の撮影装置は、背景の変更を行うことができないが、特許文献１や特許文献２には、動画で主に用いられるクロマキー技術を利用して、撮影画像から被写体を抽出（分離）することにより、任意の背景を選択して、合成できる写真撮影装置が開示されている。しかしながら、この装置も、クロマキー技術による被写体の抽出を適正に行うために、所定の背景（通常はブルー）を準備する必要がある。
【０００４】
すなわち、従来の証明写真や記念写真の撮影装置は、人物が入るための箱や、背景となるカーテンやパネルが必要であり、装置が大型となってしまい、設置場所の制約が大きい、コスト高になってしまう等の問題がある。
【０００５】
他方、特許文献３には、動画を合成する装置であって、撮影した動画の画像の変化を検出し、座標位置が変化した画素を動画画素として認識して、動画画素の認識結果から主画像を抽出し、この主画像以外の背景画像を除去し、合成用に生成した合成用背景画像と、背景を除去した主画像とを合成することにより、背景となるカーテンやパネルを不要として、動画の合成を可能にした画像合成装置が開示されている。
【０００６】
【特許文献１】特開平５−１６１０６４号公報
【特許文献２】特開平１１−８４５２２号公報
【特許文献３】特開２００３−１７９８１１号公報
【発明の開示】
【発明が解決しようとする課題】
【０００７】
特許文献３に開示される装置では、画像の変化を利用して被写体を抽出する。
そのため、駐車車両の発車など背景物の位置変化、人物の通過など、背景が変動した際には、この背景物も被写体として抽出してしまう可能性が高く、すなわち、被写体の抽出精度が低い。また、特許文献１や特許文献２等に開示されるような証明写真や記念写真などの静止画では、画像の変化が無いため、この方法を利用した場合には、被写体を抽出することができない。
【０００８】
本発明の目的は、前記従来技術の問題点を解決することにあり、証明写真や記念写真等の静止画の撮影に際し、被写体となる人物が入るボックス、背景となるカーテンやパネル等が不要であり、かつ、背景の変化等が有った場合にも被写体を高精度に抽出して背景と分離して、所望の画像を背景として合成することができる撮影方法、および、この画像撮影方法を実施する撮影装置を提供することにある。
【課題を解決するための手段】
【０００９】
前記目的を達成するために、本発明の撮影方法は、同じ撮影位置において、被写体の存在しない背景画像、出力に対応する第１主画像、および、前記第１主画像とは撮影条件が異なる第２主画像を撮影し、前記背景画像と第１主画像との差分と、前記第１主画像と第２主画像との差分とから、前記被写体を抽出することを特徴とする撮影方法を提供する。
【００１０】
このような本発明の撮影方法において、前記抽出した被写体と、予め準備した合成用画像とを合成するのが好ましく、また、前記背景画像と第１主画像との差分から第１被写体候補を抽出し、前記第１主画像と第２主画像との差分から第２被写体候補を抽出し、第１被写体候補と第２被写体候補とで共通する領域を被写体として抽出するのが好ましい。
また、前記第１主画像と第２主画像とで、撮影照明が異なるのが好ましく、もしくは、前記第１主画像と第２主画像とで、撮影時の絞りが異なるのが好ましい。
【００１１】
また、本発明の撮影装置は、画像を光電的に撮影するカメラと、撮影条件を変更する変更手段と、被写体が存在しない背景画像の撮影、出力に対応する第１主画像の撮影、および、前記第１主画像とは撮影条件が異なる第２主画像の撮影を、前記カメラおよび変更手段に実施させる撮影制御手段と、前記背景画像と第１主画像との差分、および、前記第１主画像と前記第２主画像との差分から、前記被写体を抽出する画像処理手段とを有することを特徴とする撮影装置を提供する。
【００１２】
このような本発明の撮影装置において、前記画像処理手段は、抽出した被写体に、予め準備した合成用画像を合成した画像を作成するのが好ましい。また、被写体を照明する光源を有し、前記変更手段は、前記第１主画像の撮影と第２主画像の撮影とで光源による撮影照明を変更するのが好ましく、この際において、前記光源がＬＥＤであるのが好ましく、もしくは、前記カメラが絞りを有し、前記変更手段は、前記第１主画像の撮影と第２主画像の撮影とでカメラの絞りを変更するのが好ましい。さらに、前記画像処理手段が合成した画像をプリントとして出力するプリンタ、および、前記画像処理手段が合成した画像を記憶媒体に記録する記録手段の少なくとも一方を有するのが好ましい。
【発明の効果】
【００１３】
上記構成を有する本発明によれば、証明写真や記念写真の撮影装置において、写真の背景となり、かつ撮影条件を好適にするために被写体となる人物が入るためのボックス（ブース）や、写真の背景となるカーテンやパネルを不要にすることができるので、装置を大幅に小型化することができ、装置の設置自由度が非常に高く、狭い店内等であっても容易に設置することができる。
しかも、背景となるカーテン等を無くし、かつ、背景（撮影シーン）に変化が有っても、画像中から被写体を高精度に抽出して、背景と分離することができるので、任意の画像を背景として合成して、所望の証明写真や記念写真を作成することができる。
【発明を実施するための最良の形態】
【００１４】
以下、本発明の撮影方法および撮影装置について、添付の図面に示される好適実施例を基に、詳細に説明する。
【００１５】
図１に、本発明の撮影方法を実施する本発明の撮影装置を利用するプリント注文受付機の一例の概略斜視図を、図２に、このプリント注文受付機の撮影／抽出処理系の構成の概略を示すブロック図を、図３に、このプリント注文受付機のシステム構成図を、それぞれ示す。
【００１６】
図１に示すプリント注文受付機１０（以下、注文受付機１０とする）は、デジタルカメラなどで撮影されスマートメディアTMやコンパクトフラッシュTM等の各種の記憶媒体に記録された画像（画像データ）からのプリント作成等の注文を受け付けるプリントの注文受付機に、本発明を実施するための撮影機能を付加した装置であって、記憶媒体（記憶メディア）の装填部（＝記憶メディアリード／ライト部（以下、メディアＲ／Ｗ部とする））１２、ディスプレイ１４、受付伝票出力部（＝伝票印刷プリンタ）１６に加え、画像を撮影するためのデジタルカメラ（ＤＳＣ）１８、および撮影照明の光源２０を有して構成される。
【００１７】
また、注文受付機１０は、基本的に、これらの外部に設けられる部位に加え、ＣＰＵ２４、ＲＯＭ２６、ＲＡＭ２８、記憶媒体Ｍから読み出した画像（画像データ）や記憶媒体Ｍに記録する画像をバッファ的に記憶するための画像メモリ３０、画像の拡大／縮小を行う拡縮処理部３２、ディスプレイコントローラ３４、ディスプレイ１４に表示する画像を記憶する表示メモリ３６、プリンタ３８や外部の画像処理装置４０と接続するためのインターフェイス（Ｉ／Ｆ）４２、記憶媒体Ｍから読み出した画像に階調補正や色／濃度補正等の必要な画像処理を行う画像処理部４４、テンプレート記憶部５０、主画像記憶部５２、背景画像記憶部５４、被写体抽出処理部５６、撮影制御部５８、画像合成部６０、および合成画像記憶部６２等を有して構成される。
【００１８】
注文受付機１０において、画像処理部４４における各種の画像処理、および、拡縮処理部３２における画像の拡大／縮小（電子変倍処理）、全て公知の方法で行えばよい。
【００１９】
また、図示例では、プリンタ３８は外部接続され、注文受付機１０とは離れて設置されているが、本発明にかかる注文受付機１０（本発明の撮影装置）は、これに限定はされず、プリンタ３８を内蔵するものであってもよい。
なお、外部接続および内蔵を問わず、プリンタ３８は、公知のものが全て利用可能である。一例として、記録画像（その画像データ）に応じて変調した光ビームに応じて写真感光材料（印画紙）を露光して潜像を記録して、露光済の感光材料に所定の湿式処理を施すデジタルのフォトプリンタ、熱現像工程を有し、水などの画像形成溶媒の存在下で受像媒体に画像を転写形成する感光性熱現像感光材料を用いるプリンタ、電子写真プリンタ、インクジェットプリンタ、サーマルヘッドを用いる感熱プリンタ等が例示される。
【００２０】
伝票印刷プリンタ１６も、感熱プリンタなど、店頭等に設置されている写真注文受付機等で利用されている公知のものを用いればよい。
【００２１】
さらに、メディアＲ／Ｗ部１２が対応する記憶媒体にも特に限定はなく、スマートメディアTM、コンパクトフラッシュTM、メモリースティックTM、ＳＤメモリーカードTM、ＰＣカード、ＣＤ−Ｒ、ＭＤ等の公知の記憶媒体が、全て利用可能である。
また、対応する記憶媒体は、１種に限定はされず、複数種の記憶媒体に対応してもよいのは、もちろんである。
【００２２】
撮影制御部５８は、ＤＳＣ１８および光源２０の動作を制御する部位である。
ＤＳＣ１８は、基本的に、公知のデジタル（スチル）カメラである。
図示例の注文受付機１０において、ＤＳＣ１８は、撮影制御部５８からの指示（撮影信号）に応じて、被写体の存在しない背景画像の撮影、出力に対応する第１主画像の撮影、および、第２主画像の撮影を行う。第１主画像と第２主画像は、共に被写体を撮影するもので、連続的に行われるが、撮影条件が異なる。図示例においては、第１主画像の撮影時には光源２０を点灯（撮影照明ｏｎ）し、第２主画像の撮影時には光源２０を消灯（撮影照明をｏｆｆ）する。これらに関しては、後に詳述する。
なお、図示例においては、撮影時における操作性を良好にするために、ＤＳＣ１８は固定されているが、必要に応じて、左右の向きや上下方向の角度を調整可能としてもよい。
【００２３】
光源２０は、撮影制御部５８からの指示に応じて、撮影照明を発光する光源で、図示例においては、ディスプレイ２０を囲むように、４つが配置される。
光源２０には、特に限定はなく、被写体（被撮影者）を十分な撮影光量でムラなく照射できるものであれば、各種のものが利用可能である。ここで、光源２０は、注文受付機１０の近傍にいる被写体が適正に撮影できる撮影照明を行う必要があると共に、図示例の注文受付機１０においては、第１主画像と第２主画像とで撮影照明を変えることで撮影条件を変えるので、できるだけ被写体のみを照明し、背景には照明光が届かないようにするのが好ましい。また、第１主画像の撮影後に第２主画像の撮影を迅速に行うために、光源２０は、短時間で応答するものであるのが好ましい。
以上の点を考慮すると、応答性が良く、また、小型で、向きを調整して複数を配置して多方向から被写体をムラなく照明できるように配置可能である等の点で、ＬＥＤを光源２０として用いるのが好ましい。
【００２４】
テンプレート記憶部５０は、プリント出力等を行うために撮影画像から抽出し背景と分離した被写体と合成されて、プリント等に再生された被写体の背景となる、（画像）テンプレート（合成用画像）を記憶するものである。
テンプレートには、特に限定はなく、ベタ画像（単色の均一濃度画像）、各種の模様やパターン、名所／旧跡／観光地／テーマパークなどの風景画像等、各種の画像が利用可能である。
なお、テンプレートは、画像（絵柄）として記憶してもよく、また、テンプレート（背景）がベタ画像の場合には色の数値（Ｒ、ＧおよびＢの画像データ）として記憶してもよく、両者を有してもよい。
図示例においては、テンプレート記憶部５０には、複数のテンプレートが記憶されており、撮影に先立ち、適宜、選択可能になっている。
【００２５】
主画像記憶部５２は、ＤＳＣ１８が撮影した第１主画像（その画像データ）および第２主画像（その画像データ）を記憶するものである。背景画像記憶部５４は、ＤＳＣ１８が撮影した背景画像（その画像データ）を記憶するものである。さらに、合成画像記憶部６２は、後述する画像合成部６０が生成した、被写体の背景に前記合成用画像を合成した合成画像（その画像データ）を記憶するものである。
これらの記憶部５２は、共に、公知の記憶手段を用いればよく、あるいは、前記画像メモリ３０を併用してもよい。
【００２６】
被写体抽出処理部５６は、背景画像と第１主画像との差分、および、第１主画像と第２主画像との差分を算出し、両差分から第１主画像中の被写体を抽出するものである。
この点に関しては、後に詳述する。
【００２７】
画像合成部６０は、選択されたテンプレート（合成用画像）をテンプレート記憶部５０から読み出し、かつ、第１主画像から被写体抽出部５６が抽出した被写体以外の背景領域を削除し、背景を除去した被写体の背景にテンプレートを合成して、プリントの作成等に対応する合成画像（その画像データ）とする部位である。
なお、背景の除去や画像の合成は、公知の方法で行えばよい。
【００２８】
ディスプレイ１４は、ディスプレイコントローラ３４による制御の下、撮影画像や合成画像、記憶媒体から読み出した画像、ＧＵＩ(Graphical User Interface)による操作画像等を表示する。
図示例の注文受付機１０では、ディスプレイ１４はタッチパネルとなっており、すなわち、操作手段を兼ねる。このディスプレイ１４を用いたＧＵＩによる操作によって、撮影指示、合成用画像（プリントの背景）の選択指示、画像合成指示、撮影画像（合成画像）のプリント指示、画像修正指示、プリント作成する画像の選択、プリントサイズ等の注文情報の指示等、各種の指示を入力する。
なお、本発明にかかる注文受付装置１０（撮影装置）は、タッチパネルで全ての操作を行うのに限定はされず、操作用のキーボードやマウス等を有してもよく、あるいは、ディスプレイは表示のみを行い、キーボードやマウスのみで操作を行うようにしてもよい。
【００２９】
以下、図４のフローチャートを参照して、注文受付装置１０による画像撮影の作用を説明することにより、本発明の撮影方法および撮影装置について、より詳細に説明する。
注文受付装置１０は、待機状態（何の処理もしていない状態）の際に、ＤＳＣ１８によって背景画像を撮影する。撮影した背景画像は、背景画像記憶部５４に記憶する。
【００３０】
背景画像の撮影タイミング（すなわち、背景撮影のための撮影制御部５８からＤＳＣ１８への撮影信号の出力）には、特に限定は無い。例えば、一定時間間隔で自動的に行ってもよく、６時と１２時と１８時のように、定められた時間に自動的に行ってもよく、注文受付装置１０の管理者などによるディスプレイ表示を用いた撮影指示等に応じて行ってもよい。また、これら併用してもよく、選択可能にしてもよい。
また、背景画像の撮影条件にも、特に限定は無い。一般的に、注文受付装置１０が設置される場所は、店舗内や屋外に設定された専用の設置場所等であり、背景には撮影に十分な状態に照明されているのが通常である。従って、特に光源２０を用いて撮影照明を行わなくても、適正な画像を撮影できる。しかしながら、正確な被写体の抽出を安定して行うためには、背景画像は、第１主画像と同条件で撮影を行うのが好ましい。
【００３１】
ディスプレイ１４の表示を用いた撮影開始が、ユーザ（通常は被写体）によって指示されると、注文受付機１０は、ディスプレイ１４に合成用画像（出力画像の背景）の選択画面を表示し、ユーザに選択を促す。同時に、撮影時の立ち位置や顏の向きの指示等をディスプレイ１４に表示してもよい。
テンプレートが選択され、撮影が指示（撮影ボタンＯＮ）されると、撮影制御部５８は、光源２０を点灯し（照明ＯＮ）、次いで、撮影信号をＤＳＣ１８に送り、これに応じて、ＤＳＣ１８が第１主画像を撮影する。この第１主画像は、出力に対応するものであり、従って、被写体を適正に撮影できる撮影条件で行われ、光源２０が撮影照明を照射して、装置に近接して位置する被写体が適正に撮影される。
第１主画像（その画像データ）は、ＤＳＣ１８から主画像記憶部５２に送られ、主画像記憶部５２が記憶する。
【００３２】
第１主画像を撮影したら、撮影制御部５８は光源２０を消灯（照明ＯＦＦ）し、次いで、撮影信号をＤＳＣ１８に送り、これに応じて、ＤＳＣ１８が第２主画像を撮影する。第２主画像（その画像データ）も、ＤＳＣ１８から主画像記憶部５２に送られ、主画像記憶部５２が記憶する。
なお、第２主画像の撮影の際には、光源２０の消灯ではなく、光源２０から出射する撮影光の光量を低下することで、第１主画像と撮影条件を変更してもよい。
【００３３】
第１主画像および第２主画像を撮影し、両画像を主画像記憶部５２が記憶したら、被写体抽出処理部５６が、主画像記憶部５２から第１主画像および第２主画像を、背景画像記憶部５４から背景画像を、それぞれ読み出す。
一例として、背景画像が図５（Ａ）、第１主画像が図５（Ｂ）、さらに、第２主画像が図５（Ｃ）に示す画像であったとする。
【００３４】
被写体抽出処理部５６は、まず、第１主画像と背景画像との差分を取る。
前述のように、注文受付機１０は、通常、背景の撮影には十分な光量を有する場所に設置されており、また、第１主画像は、注文受付機１０に近接する位置にいる被写体を適正に撮影できる撮影照明で撮影れたものである。すなわち、第１主画像には、背景および被写体が適正に撮影され、背景画像には背景のみが適正に撮影されている。
従って、両者の差分は、背景画像撮影時と第１主画像撮影時との変化領域であり、背景画像撮影時には存在しなかった被写体に加え、背景の変化も含まれる。例えば、背景画像の撮影時には置いてあった商品ａおよび商品ｂが、第１主画像の撮影時には無くなっていれば（図５（Ｂ）に点線で示す）、被写体に加え、この領域も差分として抽出される。従って、この差分は、被写体のみを示すものではなく、いわば被写体候補画像である。
【００３５】
被写体抽出処理部５６は、次いで、第１主画像と第２主画像との差分を取る。
前述のように、第１主画像は被写体および背景共に適正に撮影されている。これに対し、第２主画像は、撮影照明をＯＦＦしているので、前述のように十分な光量を照射されている背景は適正に撮影されているが、注文受付機１０に近接する位置にいる被写体は、撮影光量が不十分で、不適正な状態となる。また、第１主画像と第２主画像は、ほぼ連続して撮影されるので、通常、背景の変動は無いと考えられる。
すなわち、第１主画像と第２主画像との差分は、輪郭は不明瞭であるが、適正に撮影されている背景が除かれた、被写体領域を示す結果となる。
【００３６】
次いで、被写体抽出処理部５６は、第１主画像と背景画像との差分（被写体候補画像）、および、第１主画像と第２主画像との差分（被写体領域）を比較し、第１主画像から被写体画像を抽出する。
前述のように、第１主画像と背景画像との差分は、適正に撮影された、輪郭が明瞭な被写体と変化した背景であり、第１主画像と第２主画像との差分は、輪郭は不明瞭であるが、被写体領域を示している。従って、第１主画像と第２主画像との差分から大まかな被写体の領域を検出し、この情報を用いて、第１主画像と背景画像との差分から背景の変化領域を除去することにより、第１主画像における被写体の領域（被写体画像）を正確に抽出することができる。
【００３７】
被写体抽出処理部５６は、このようにして第１主画像から被写体を抽出したら、その情報を画像合成部６０に供給する。
画像合成部６０は、主画像記憶部５２から第１主画像を読み出して、供給された被写体の領域情報を用いて、第１主画像から被写体以外の背景領域を除去する。次いで、第１主画像の被写体の背景に、先に選択されたテンプレート（合成用画像）を合成した合成画像を作成する。一例として、第１主画像から背景を除去して被写体のみとした後、第１主画像の除去した背景領域にテンプレートを組み込み、合成画像を作成する。
被写体とテンプレートとの合成画像（その画像データ）は、合成画像記憶部６２が記憶する。
【００３８】
次いで、ディスプレイコントローラ３４等による制御の下、ディスプレイ１４に、この合成画像を表示し、さらに、ディスプレイ１４に、画像の適正／不適正の選択（再撮影を行うか、プリントを出力するかの選択）の選択画面を表示し、選択を促す。
画像が不適正すなわち再撮影（Ｙｅｓ）が選択された場合には、撮影開始（撮影ボタンｏｎ）に戻って、再度、これ以降を同様の処理を行う。あるいは、テンプレート選択に戻って、再度、同様の処を行うようにしてもよい。
画像が適正すなわち再撮影不要（Ｎｏ）が選択された場合には、Ｉ／Ｆ４２からプリンタ３８に合成画像が供給され、プリンタ３８によって、プリント（ハードコピー）として出力される。あるいは、プリントの出力に変えて、合成画像をメディアＲ／Ｗ部１２に送って、装填されている記憶媒体Ｍに合成画像を記録してもよく、プリント出力と記憶媒体Ｍへの合成画像の記録の両者を行ってもよい。
【００３９】
さらに、伝票印刷プリンタ１６が、合成画像を再生したプリントの料金伝票を印刷して、出力する。
【００４０】
以上の説明より明らかなように、本発明によれば、背景画像、出力に対応して被写体を撮影した第１主画像、および、第１主画像に連続して、第１主画像とは異なる撮影条件で被写体を撮影した第２主画像を撮影することにより、証明写真や記念写真の撮影装置において、背景となるカーテンやパネル、ボックス（ブース）等がなくても、背景の変化によらず、被写体のみを正確に抽出することができ、さらに、予め容易したテンプレート（合成用画像）と被写体とを合成することにより、付加価値の高い証明写真や記念写真を作成することができる。
また、背景となるカーテンやパネル、被写体が入るボックス等が不要であるので、装置を大幅に小型化することができ、狭い店舗等でも高い自由度で撮影装置を設置することができ、さらに、図示例のような、記憶媒体に記録した画像（データ）からのプリント作成等を受け付ける、店頭でのプリント注文受付機などの既存の装置との組み合わせ等も容易に行うことができる。
【００４１】
以上の例では、第１主画像と第２主画像との撮影条件の変更を、撮影照明の変更で行ったが、本発明は、これに限定はされず、各種の方法で第１主画像と第２主画像との撮影条件を変更することができる。
【００４２】
好適な一例として、第１主画像と第２主画像とで、ＤＳＣ１８の絞りを変更することで、撮影条件を変更する方法が例示される。
例えば、第１主画像を撮影する際には、被写体および背景の両者に焦点が合うような被写界深度となる絞りで撮影し、第２主画像の撮影時には、絞りを開いて、被写体のみに焦点が合うような被写界深度で撮影を行う。この際には、第２主画像は、先の例とは逆に、背景がボケることで被写体の輪郭がボケた感じの画像となるので、先と同様に、第１主画像と背景画像との差分から被写体候補画像を抽出し、第１主画像と第２主画像との差分から被写体領域を抽出し、両差分から変化した背景領域を除去することで、第１主画像から正確に被写体を抽出できる。
【００４３】
また、本発明においては、これ以外にも、各種の条件を変更することにより、第１主画像と第２主画像との撮影条件を変更して、第１主画像から被写体を抽出してもよい。
【００４４】
以上、本発明の撮影方法および撮影装置について詳細に説明したが、本発明は上記実施例に限定はされず、本発明の要旨を逸脱しない範囲において、各種の改良や変更を行ってもよいのは、もちろんである。
【００４５】
例えば、以上の例は、本発明の撮影装置および撮影方法を、デジタルカメラ等で撮影されスマートメディアTM等の記憶媒体に記憶された画像（画像データ）からのプリント注文を受け付けるプリント注文受付機に利用した例であるが、本発明は、これに限定はされず、証明写真や記念写真の撮影のみを行う撮影専用の装置であってもよい。
あるいは、注文受付機１０は、記憶媒体のみならず、撮影機能付きの携帯電話やデジタルカメラ等から、直接、画像データを取得して、プリント作成等の注文を受けあるいはさらにプリント作成等を行う機能を有してもよく、携帯電話やデジタルカメラからのプリント作成等の注文のみを受け、あるいはさらにプリント作成を行う装置であってもよい。
【図面の簡単な説明】
【００４６】
【図１】本発明の撮影方法および撮影装置を利用するプリント注文受付機の一例の概略斜視図である。
【図２】図１に示すプリント注文受付機の撮影／抽出処理系の構成の概略ブロック図である。
【図３】図１に示すプリント注文受付機のシステム構成図である。
【図４】図１に示すプリント注文受付機による撮影の作用を説明するためのフローチャートである。
【図５】（Ａ）、（Ｂ）および（Ｃ）は、本発明の撮影方法を説明するための概念図である。
【符号の説明】
【００４７】
１０  （プリント）注文受付機
１２  メディアＲ／Ｗ部（装填部）
１４  ディスプレイ
１６  伝票印刷プリンタ（受付伝票出力部）
１８  ＤＳＣ（デジタルカメラ）
２０  光源
２４  ＣＰＵ
２６  ＲＯＭ
２８  ＲＡＭ
３０  画像メモリ
３２  拡縮処理部
３４  ディスプレイコントローラ
３６  表示メモリ
３８  プリンター
４０  画像処理装置
４２  Ｉ／Ｆ（インターフェイス）
４４  画像処理部
５０  テンプレート記憶部
５２  主画像記憶部
５４  背景画像記憶部
５６  被写体抽出処理部
５８  撮影制御部
６０  画像合成部
６２  合成画像記憶部
【図１】
2006121275.tif 000003
【図２】
2006121275.tif 000004
【図３】
2006121275.tif 000005
【図４】
2006121275.tif 000006
【図５】
2006121275.tif 000007